(57)【要約】【課題】いかなる種類のペン先を採用してもペン先没入時にペン先を密閉可能であり、ペン先没入状態で長期間保管しても、インキタンク内のインキが蒸発することを防止でき、ペン先没入状態でインキタンク内の圧力が上昇しても、外部にインキが漏出することを防止できる出没式筆記具を提供する。【解決手段】筆記体３が、ペン先５と、インキを直に貯溜するインキタンク４１と、インキ保溜部材６と、インキタンク４１内と外気とを連通する通気路７とを備える。軸筒２の前端部に開閉部材８を設ける。開閉部材８の後方の軸筒２内部に環状のシール体２２を設ける。ペン先没入時に、軸筒２内部に密閉されたシール空間１０を構成するとともに該シール空間１０内部にペン先５を収容する。ペン先突出時に、開閉部材８が前端孔２１を開口させ且つ前記シール空間１０を開放する。【選択図】  図１
2008006661.tif 000002
【特許請求の範囲】
【請求項１】
筆記体が、ペン先と、インキを直に貯溜するインキタンクと、ペン先とインキタンクとの間に配置され且つインキタンクの内圧上昇に伴う溢出インキを一時的に保持するインキ保溜部材と、インキタンク内と外気とを連通する通気路とを備え、前記筆記体を軸筒内部に前後方向に移動可能に収容し、前記筆記体のペン先を軸筒の前端孔から出没可能に構成してなる出没式筆記具であって、軸筒の前端部に開閉部材を設け、前端孔より後方の軸筒内部に環状のシール体を設け、ペン先没入時に、前記開閉部材が前端孔を閉鎖し且つ前記シール体が筆記体の外周面と密接することにより、軸筒内部に密閉されたシール空間を構成するとともに該シール空間内部にペン先を収容し、ペン先突出時に、前記開閉部材が前端孔を開口させ且つ前記シール空間を開放することを特徴とする出没式筆記具。
【請求項２】
筆記体の外面に通気路の開口部を設け、ペン先没入時に前記シール空間内部に前記通気路の開口部を位置させてなる請求項１記載の出没式筆記具。
【請求項３】
筆記体の外面に通気路の開口部を設け、ペン先没入時に前記通気路の開口部を前記シール体が密閉してなる請求項１記載の出没式筆記具。
【発明の詳細な説明】
【技術分野】
【０００１】
本発明は、出没式筆記具に関する。詳細には、インキを直に貯溜する直液式の筆記体を軸筒内部に前後方向に移動可能に収容した出没式筆記具に関する。
【背景技術】
【０００２】
従来この種の出没式筆記具において、特許文献１には、チップ内孔にインキ誘導芯が密装され、チップ後方に直列状に継ぎ手、インキ保溜体が一体的に設けられて、インキ収容管内に低粘度インキが充填されると共にインキ収容管の前方部内孔にインキ保溜体が嵌着されて成るボールペンのリフィールと、軸筒の後方にノック操作により軸筒に対し前後退位置に係止される回転カム機構部が配設され、その回転カム機構部の前方にリターンスプリングにより後方に附勢された前記ボールペンのリフィールが設けられて成るノック式筆記具が開示されている。
【０００３】
また、前記特許文献１には、先端ボールがチップ先端のボール抱持部の内縁に常時は押圧されて密接し、筆記時に密接状態が解除されるように設けられて、チップ先端がシール不要で軸筒に搭載可能と成されたノック式筆記具が開示されている。
【０００４】
また、前記特許文献１には、鍔部の所要箇所に通気溝を設けて外気とインキ保溜体及びインキ収容管内の空気置換を行なうこと、及び、空気置換のための通気路は細く迂回したものが望ましいことが記載されている。
【０００５】
【特許文献１】特開平１０−２６４５８５号公報
【発明の開示】
【発明が解決しようとする課題】
【０００６】
前記従来の出没式筆記具は、先端ボールをボール抱持部の内縁に密接することにより、ペン先を密閉する構造であるため、ボールペンチップ以外のペン先を採用することが困難である。また、前記従来の出没式筆記具は、ペン先没入状態であっても、通気路は外気と連通されているため、長期間保管すると、インキタンク内のインキが蒸発して、筆記不能となるおそれがある。また、前記従来の出没式筆記具は、ペン先没入状態でインキタンク内の圧力が上昇すると、通気路を通って外部にインキが漏出するおそれがある。
【０００７】
本発明は、前記従来の問題点を解決するものであって、いかなる種類のペン先を採用してもペン先没入時にペン先を密閉可能であり、また、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる出没式筆記具を提供しようとするものである。
【０００８】
尚、本発明で、「前」とはペン先側を指し、「後」とはその反対側を指す。また、本発明で、「ペン先没入」とは、ペン先が軸筒内部に没入することを言い、「ペン先突出」とは、ペン先が軸筒の前端孔から外部に突出することを言う。
【課題を解決するための手段】
【０００９】
（構成１）
本発明は、筆記体３が、ペン先５と、インキを直に貯溜するインキタンク４１と、ペン先５とインキタンク４１との間に配置され且つインキタンク４１の内圧上昇に伴う溢出インキを一時的に保持するインキ保溜部材６と、インキタンク４１内と外気とを連通する通気路７とを備え、前記筆記体３を軸筒２内部に前後方向に移動可能に収容し、前記筆記体３のペン先５を軸筒２の前端孔２１から出没可能に構成してなる出没式筆記具であって、軸筒２の前端部に開閉部材８を設け、前端孔２１より後方の軸筒２内部に環状のシール体２２を設け、ペン先没入時に、前記開閉部材８が前端孔２１を閉鎖し且つ前記シール体２２が筆記体３の外周面と密接することにより、軸筒２内部に密閉されたシール空間１０を構成するとともに該シール空間１０内部にペン先５を収容し、ペン先突出時に、前記開閉部材８が前端孔２１を開口させ且つ前記シール空間１０を開放すること（構成１）を要件とする。
【００１０】
前記構成１の出没式筆記具１は、ペン先没入時に、密閉されたシール空間１０内部にペン先５を収容することにより、いかなる種類のペン先５を採用してもペン先没入時にペン先５を確実に密閉でき、ペン先５の乾燥を防止できる。その結果、筆記体３のペン先５として、ボールペンチップに限らず、あらゆる種類のペン先を用いた直液タイプの出没式筆記具が得られる。
【００１１】
（構成２）
前記構成１の出没式筆記具１において、筆記体３の外面に通気路７の開口部７１を設け、ペン先没入時に前記シール空間１０内部に前記通気路７の開口部７１を位置させてなること（構成２）が好ましい。
【００１２】
前記構成２の出没式筆記具１は、ペン先没入時に、密閉されたシール空間１０内部に通気路７の開口部７１を位置させてなることにより、ペン先没入時の通気路７と外気との連通が遮断され、ペン先没入状態で長期間保管しても、通気路７からインキタンク４１内のインキが蒸発することを防止でき、さらに、ペン先没入状態でインキタンク４１内の圧力が上昇しても、通気路７を通って外部にインキが漏出することを防止できる。
【００１３】
（構成３）
前記構成１の出没式筆記具１において、筆記体３の外面に通気路７の開口部７１を設け、ペン先没入時に前記通気路７の開口部７１を前記シール体２２が密閉してなること（構成３）が好ましい。
【００１４】
前記構成３の出没式筆記具１は、ペン先没入時に前記通気路７の開口部７１を前記シール体２２が密閉してなることにより、ペン先没入時の通気路７と外気との連通が遮断され、ペン先没入状態で長期間保管しても、通気路７からインキタンク４１内のインキが蒸発することを防止でき、さらに、ペン先没入状態でインキタンク４１内の圧力が上昇しても、通気路７を通って外部にインキが漏出することを防止できる。
【発明の効果】
【００１５】
構成１によれば、いかなる種類のペン先を採用してもペン先没入時にペン先を確実に密閉でき、ペン先の乾燥を防止できる。
【００１６】
構成２によれば、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる。
【００１７】
構成３によれば、ペン先没入状態で長期間保管しても、通気路からインキタンク内のインキが蒸発することを防止でき、さらに、ペン先没入状態でインキタンク内の圧力が上昇しても、通気路を通って外部にインキが漏出することを防止できる。
【発明を実施するための最良の形態】
【００１８】
（第１の実施の形態）
図１及び図２に本発明の第１の実施の形態を示す。
【００１９】
本実施の形態の出没式筆記具１は、軸筒２と、該軸筒２内に前後方向に移動可能に収容される筆記体３とを備える。
【００２０】
・軸筒
前記軸筒２の前端には、前端孔２１が貫設される。前記前端孔２１を通して筆記体３のペン先５が外部に突出可能且つ内部に没入可能に構成される。前記軸筒２の内部には、コイルスプリング１１が収容され、前記コイルスプリング１１により筆記体３が後方に常時付勢される。前記コイルスプリング１１の前端は、軸筒２の内面に形成した前側係止部２３に係止され、一方、コイルスプリング１１の後端は、筆記体３の外面に形成した後側係止部４２に係止される。本実施の形態では、前記軸筒２は、前端孔２１を備える前軸２ａと、該前軸２ａと連結される後軸２ｂとからなる二部材で構成される。前記前軸２ａの内面には前側係止部２３が形成され、前記前側係止部２３の後面が後軸２ｂの前端に当接される。尚、前記軸筒２は一部材で構成してもよい。
【００２１】
前記軸筒２（前軸２ａ）の前端部は、軸線に対して非垂直面からなる傾斜面となっている。前記軸筒２の前端部の傾斜面に前端孔２１が開口される。
【００２２】
・出没機構
前記軸筒２（後軸２ｂ）の後端部内部には、出没機構９が設けられる。前記出没機構９は、筆記時、操作部９３の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構９は、回転カムを用いたノック式機構であり、軸筒２内に配置された円筒状のカム本体９１と、該カム本体９１内のカム部と係合し且つ筆記体３後端と当接する回転部材９２と、該回転部材９２と係合し且つ軸筒２後端より突出するノック部（操作部９３）とからなる。前記出没機構９は、ペン先突出操作、ペン先没入操作の両操作が、ノック部を前方へ押圧するダブルノック式である。これ以外にも、前記出没機構９は、筆記体３のペン先５を出没させるものであれば、例えば、軸筒２を回転操作する回転式や、軸筒２の側壁の窓孔より突出された操作部９３を前方に押圧するスライド式等が挙げられる。
【００２３】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【００２４】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。前記容器４の前端部外面には環状凸部３１が形成される。
【００２５】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔に、合成樹脂押出成形体または繊維加工体からなるインキ誘導芯６２が挿着される。
【００２６】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５２とからなる。前記ペン先保持部材５２の内部には、前記インキ誘導芯６２の前端と接続される繊維加工体からなるインキ中継芯５３が収容され、前記チップ本体５１の内部には、前記インキ中継芯５３の前端と接続される合成樹脂押出成形体からなるインキ供給芯５４が収容される。インキタンク４１内のインキは、前記インキ誘導芯６２から、ペン先保持部材５２の内部のインキ中継芯５３に供給され、前記インキ中継芯５３からチップ本体５１内部のインキ供給芯５４に供給され、前記インキ供給芯５４からボールに供給される。前記ペン先５は、ボールペンチップ以外にも、例えば、繊維加工体や多孔質体からなるペン体、軸方向のインキ導出路を有する合成樹脂の押出成形体よりなるペン体等が挙げられる。
【００２７】
・通気路
前記通気路７は、容器４内面とインキ保溜部材６の空気交替溝との間に形成される。前記空気交替溝の前端は、前記容器４の前端の環状凸部３１より前方に位置され、それにより、前記通気路７の開口部７１は、容器４の前端開口部７１の前方に位置される。前記通気路７の開口部７１を通して通気路７内及びインキタンク４１内と外気とが連通される。
【００２８】
・開閉部材
軸筒２（前軸２ａ）の外面には、前端孔２１を開閉する開閉部材８が取り付けられる。前記開閉部材８は、前端孔２１の周壁に密接可能な弾性材料よりなる蓋体８１と、該蓋体８１を後方に付勢するバネ部材８２とからなる。前記蓋体８１の一端が、前軸２ａの前端の傾斜面状の周壁の後端側に支持され、前記蓋体８１が回動可能となる。ペン先没入時に、蓋体８１が前端孔２１の周壁に密接され、開閉部材８により前端孔２１が閉鎖される（図１参照）。一方、ペン先突出時に、蓋体８１が筆記体３により前方へ押しやられて、蓋体８１と前端孔２１の周壁との密接が解除され、前端孔２１が開口される（図２参照）。
【００２９】
・環状のシール体
軸筒２の前部内面（具体的には、前軸２ａの前側係止部２３の前方の内面）には弾性材料からなる環状のシール体２２が固定される。前記シール体２２の前方には、筆記体３の環状凸部３１が位置している。ペン先没入時、前記環状のシール体２２が、通気路７の開口部７１の後方の筆記体３の外面に形成された環状凸部３１の後面に密接される（図１参照）。一方、ペン先突出時、前記環状のシール体２２と環状凸部との密接が解除される（図２参照）。
【００３０】
・シール空間
ペン先没入時、開閉部材８により前端孔２１が閉鎖されるとともに、環状のシール体２２と環状凸部３１とが密接され、それにより、軸筒２内部の前端孔２１後方に、密閉された空間よりなるシール空間１０が形成され、前記シール空間１０内部に、ペン先５と、通気路７の開口部７１が収容される（図１参照）。一方、ペン先突出時に、開閉部材８が前端孔２１を開口させ且つシール体２２と環状凸部３１との密接が解除され、それにより、前記シール空間１０が開放され、通気路７の開口部７１を通して通気路７内及びインキタンク４１内と外気とが連通可能となる（図２参照）。
【００３１】
（第２の実施の形態）
図３及び図４に本発明の第２の実施の形態を示す。
【００３２】
本実施の形態の出没式筆記具１は、軸筒２と、該軸筒２内に前後方向に移動可能に収容される筆記体３とを備える。
【００３３】
・軸筒
前記軸筒２の前端には、前端孔２１が貫設される。前記前端孔２１を通して筆記体のペン先５が外部に突出可能且つ内部に没入可能に構成される。前記軸筒２の内部には、コイルスプリング１１が収容され、前記コイルスプリング１１により筆記体３が後方に常時付勢される。前記コイルスプリング１１の前端は、軸筒２の内面に形成した前側係止部２３に係止され、一方、コイルスプリング１１の後端は、筆記体３の外面に形成した後側係止部４２に係止される。本実施の形態では、前記軸筒２は、前端孔２１を備える前軸２ａと、該前軸２ａと連結される後軸２ｂとからなる二部材で構成される。前記前軸２ａの内面には前側係止部２３が形成され、前記前側係止部２３の後面が後軸２ｂの前端に当接される。尚、前記軸筒２は一部材で構成してもよい。
【００３４】
前記軸筒２（前軸２ａ）の前端部は、軸線に対して非垂直面からなる傾斜面となっている。前記軸筒２の前端部の傾斜面に前端孔２１が開口される。
【００３５】
・出没機構
前記軸筒２（後軸２ｂ）の後端部内部には、出没機構９が設けられる。前記出没機構９は、筆記時、操作部９３の操作により、筆記体３を前方に移動させ、ペン先５を前端孔２１から外部に突出状態にさせ、非筆記時、筆記体３を後方に移動させ、ペン先５を前端孔２１から軸筒２内部に没入状態にさせるものである。本実施の形態では、前記出没機構９は、回転カムを用いたノック式機構であり、軸筒２内に配置された円筒状のカム本体９１と、該カム本体９１内のカム部と係合し且つ筆記体３後端と当接する回転部材９２と、該回転部材９２と係合し且つ軸筒２後端より突出するノック部（操作部９３）とからなる。前記出没機構９は、ペン先突出操作、ペン先没入操作の両操作が、ノック部を前方へ押圧するダブルノック式である。これ以外にも、前記出没機構９は、筆記体のペン先５を出没させるものであれば、例えば、軸筒２を回転操作する回転式や、軸筒２の側壁の窓孔より突出された操作部９３を前方に押圧するスライド式等が挙げられる。
【００３６】
・筆記体
前記筆記体３は、前端にペン先５を備えたインキ保溜部材６と、該インキ保溜部材６を内部前部に収容した容器４と、該容器４の内部のインキ保溜部材６の後方に設けたインキタンク４１と、該インキタンク４１内と外気とを連通させる通気路７とからなる。
【００３７】
前記容器４は、前端が開口され且つ後端が閉鎖された有底筒状体である。前記容器４の内部前部にはインキ保溜部材６が挿着される。前記容器４内のインキ保溜部材６の後方には、インキタンク４１が形成される。前記インキタンク４１の内部にはインキが直接、収容される。前記容器４の前端部外面には環状凸部３１が形成される。
【００３８】
前記インキ保溜部材６は、複数の円板状櫛歯６１を有する合成樹脂の射出成形体であり、軸心に軸心孔が貫設され、隣接する各々の櫛歯６１の間に複数のインキ保溜溝が形成され、前記櫛歯６１群の外面に軸方向のインキ誘導スリット（図示せず）が形成され、さらに、前記櫛歯６１群の外面に切り欠き状の空気交替溝（図示せず）が形成される。また、前記軸心孔に、合成樹脂押出成形体または繊維加工体からなるインキ誘導芯６２が挿着される。
【００３９】
前記インキ保溜部材６の前端には、ボールペンチップからなるペン先５が取り付けられる。前記ペン先５は、前端にボールを回転可能に抱持したチップ本体５１と、該チップ本体５１後部が圧入固着されるペン先保持部材５２とからなる。前記ペン先保持部材５２の内部には、前記インキ誘導芯６２の前端と接続される繊維加工体からなるインキ中継芯５３が収容され、前記チップ本体５１の内部には、前記インキ中継芯５３の前端と接続される合成樹脂押出成形体からなるインキ供給芯５４が収容される。インキタンク４１内のインキは、前記インキ誘導芯６２から、ペン先保持部材５２の内部のインキ中継芯５３に供給され、前記インキ中継芯５３からチップ本体５１内部のインキ供給芯５４に供給され、前記インキ供給芯５４からボールに供給される。
【００４０】
前記ペン先保持部材５２は、容器４の前端開口部内面に圧入固着されるとともに、インキ保溜部材６の前端に取り付けられる。前記ペン先保持部材５２の外面には環状凸部３１が形成され、該環状凸部３１の後面が、容器４の前端と当接される。
【００４１】
・通気路
前記通気路７は、容器４内面とインキ保溜部材６の空気交替溝との間に形成される。前記通気路７の前端は、前記容器４の前端部に形成した切り欠きにより径方向外方に開口される。それにより、前記通気路７の開口部７１は、容器４の前端部に位置される。即ち、通気路７の開口部７１は、環状凸部３１よりも後方の筆記体３の外面から、径方向外方に開口される。前記通気路７の開口部７１を通して通気路７内及びインキタンク４１内と外気とが連通される。
【００４２】
・開閉部材
軸筒２（前軸２ａ）の外面には、前端孔２１を開閉する開閉部材８が取り付けられる。前記開閉部材８は、前端孔２１の周壁に密接可能な弾性材料よりなる蓋体８１と、該蓋体８１を後方に付勢するバネ部材８２とからなる。前記蓋体８１の一端が、前軸２ａの前端の傾斜面状の周壁の後端側に支持され、前記蓋体８１が回動可能となる。ペン先没入時に、蓋体８１が前端孔２１の周壁に密接され、開閉部材８により前端孔２１が閉鎖される（図３参照）。一方、ペン先突出時に、蓋体８１が筆記体により前方へ押しやられて、蓋体８１と前端孔２１の周壁との密接が解除され、前端孔２１が開口される（図４参照）。
【００４３】
・環状のシール体
軸筒２の前部内面（具体的には、前軸２ａの前側係止部２３の前方の内面）には弾性材料からなる環状のシール体２２が固定される。前記シール体２２の前方には、筆記体３の環状凸部３１が位置している。ペン先没入時、前記環状のシール体２２が、通気路７の開口部７１の開口縁に密接され、該通気路７の開口部７１が密閉される（図３参照）。一方、ペン先突出時、前記環状のシール体２２と通気路７の開口部７１の開口縁との密接が解除される（図４参照）。
【００４４】
前記シール体２２は通気路７の開口部７１の面積より僅かに大きく設定され、それにより、シール体２２が開口部７１の全周囲に直接、密接され、通気路７の開口部７１が密閉される。また、前記通気路７の開口部７１は、容器４側壁外面の円周面の一部に形成されているが、シール体２２が環状であるため、筆記体３の回転方向の向きがいずれであっても、シール体２２によって確実に密閉できる。
【００４５】
・シール空間
ペン先没入時、開閉部材８により前端孔２１が閉鎖されるとともに、環状のシール体２２と通気路７の開口部７１の開口縁とが密接され、前記通気路７の開口部７１が密閉され、それにより、軸筒２内部の前端孔２１後方に、密閉された空間よりなるシール空間１０が形成され、前記シール空間１０内部に、ペン先５が収容される（図３参照）。一方、ペン先突出時に、開閉部材８が前端孔２１を開口させ且つシール体２２と通気路７の開口部７１の開口縁との密接が解除され、それにより、前記シール空間１０が開放され、通気路７の開口部７１を通して通気路７内及びインキタンク４１内と外気とが連通可能となる（図４参照）。
【００４６】
（その他）
尚、本発明の前記インキ保溜部材６は、温度変化等によりインキタンク４１の内圧が上昇した場合に、インキタンク４１からの押し出されたインキ（溢出インキ）を毛細管力により一時的に保持し、一方、インキタンク４１の内圧が減少した場合に、インキ保溜部材６内の保持インキを速やかにインキタンク４１内に戻す機能を有する部材であればよく、本実施の形態の他にも、例えば、らせん状や迷路状のインキ保溜溝を有する合成樹脂の成形体、または繊維加工体や連続気泡体等からなる多孔質含浸体等が挙げられる。
【図面の簡単な説明】
【００４７】
【図１】本発明の第１の実施の形態のペン先没入状態を示す縦断面図である。
【図２】図１のペン先突出状態を示す縦断面図である。
【図３】本発明の第２の実施の形態のペン先没入状態を示す縦断面図である。
【図４】図３のペン先突出状態を示す縦断面図である。
【符号の説明】
【００４８】
１  出没式筆記具
１１  コイルスプリング
２  軸筒
２１  前端孔
２２  シール体
２３  前側係止部
２ａ  前軸
２ｂ  後軸
３  筆記体
３１  環状凸部
４  容器
４１  インキタンク
４２  後側係止部
５  ペン先
５１  チップ本体
５２  ペン先保持部材
５３  インキ中継芯
５４  インキ供給芯
６  インキ保溜部材
６１  櫛歯
６２  インキ誘導芯
７  通気路
７１  開口部
８  開閉部材
８１  蓋体
８２  バネ部材
９  出没機構
９１  カム本体
９２  回転部材
９３  ノック部（操作部）
１０  シール空間
【図１】
2008006661.tif 000003
【図２】
2008006661.tif 000004
【図３】
2008006661.tif 000005
【図４】
2008006661.tif 000006